(57)【要約】  ワイヤレス通信の方法が提示される。この方法は、第１の加入者識別モジュールに関連するアクティブ・コールにおいて通信することを含む。この方法は、さらに、接続された状態で第２の加入者識別モジュールに関連するインアクティブ・コールを維持することを含む。前記インアクティブ・コールは、ＵＥのスピーカーおよびマイクロフォンを使用していない。この方法はさらに、インアクティブ・コールの受信された音声フレームを記憶することを含む。
2015529063.tif 000002
【特許請求の範囲】
【請求項１】
第１の加入者識別モジュール（ＳＩＭ）に関連するアクティブ・コールにおいて通信することと、
接続された状態で第２のＳＩＭに関連するインアクティブ・コールを維持することと、ここにおいて、前記インアクティブ・コールは、ＵＥのスピーカーおよびマイクロフォンを使用していない、および、
前記インアクティブ・コールの受信された音声フレームを記憶することと、を備える、ワイヤレス通信の方法。
【請求項２】
前記インアクティブ・コールに関連するデバイスに、アイドルフレームを送信することをさらに備える、請求項１に記載の方法。
【請求項３】
少なくとも前記アクティブ・コールを選択するために入力を受信するように構成されているメニューを表示することをさらに備える、請求項１に記載の方法。
【請求項４】
前記記憶された音声フレームをプレイバックするために、前記ＵＥのユーザから命令を受信することをさらに備える、請求項１に記載の方法。
【請求項５】
前記第１のＳＩＭは、時分割・同期符号分割多元接続（ＴＤ−ＳＣＤＭＡ）モジュールに関連し、および、前記第２のＳＩＭは、モバイル通信のためのグローバル・システム（ＧＳＭ）モジュールに関連する、請求項１に記載の方法。
【請求項６】
第１の加入者識別モジュール（ＳＩＭ）に関連するアクティブ・コールにおいて通信するための手段と、
接続された状態で第２のＳＩＭに関連するインアクティブ・コールを維持するための手段と、ここにおいて、前記インアクティブ・コールは、ＵＥのスピーカーおよびマイクロフォンを使用していない、および、
前記インアクティブ・コールの受信された音声フレームを記憶するための手段と、
を備えるワイヤレス通信のための装置。
【請求項７】
前記インアクティブ・コールに関連するデバイスに、アイドルフレームを送信するための手段をさらに備える、請求項６に記載の装置。
【請求項８】
少なくとも前記アクティブ・コールを選択するために入力を受信するように構成されているメニューを表示するための手段をさらに備える、請求項６に記載の装置。
【請求項９】
前記記憶された音声フレームをプレイバックするために、前記ＵＥのユーザから命令を受信するための手段をさらに備える、請求項６に記載の装置。
【請求項１０】
前記第１のＳＩＭは、時分割・同期符号分割多元接続（ＴＤ−ＳＣＤＭＡ）モジュールに関連し、および、前記第２のＳＩＭは、モバイル通信のためのグローバル・システム（ＧＳＭ）モジュールに関連する、請求項６に記載の装置。
【請求項１１】
記録された非一時的なプログラム・コードを有する非一時的なコンピュータ可読媒体を備え、前記プログラム・コードは、
第１の加入者識別モジュール（ＳＩＭ）に関連するアクティブ・コールにおいて通信するためのプログラム・コードと、
接続された状態で第２のＳＩＭに関連するインアクティブ・コールを維持するためのプログラム・コードと、ここにおいて、前記インアクティブ・コールは、ＵＥのスピーカーおよびマイクロフォンを使用していない、および、
前記インアクティブ・コールの受信された音声フレームを記憶するためのプログラム・コードと、を備えた、
ワイヤレス・ネットワークにおけるワイヤレス通信のためのコンピュータ・プログラム製品。
【請求項１２】
前記プログラム・コードは、前記インアクティブ・コールに関連するデバイスにアイドルフレームを送信するためのプログラム・コードをさらに備える、請求項１１に記載のコンピュータ・プログラム製品。
【請求項１３】
前記プログラム・コードは、少なくとも前記アクティブ・コールを選択するために入力を受信するように構成されているメニューを表示するためのプログラム・コードをさらに備える、請求項１１に記載のコンピュータ・プログラム製品。
【請求項１４】
前記プログラム・コードは、前記記憶された音声フレームをプレイバックするために、前記ＵＥのユーザから命令を受信するためのプログラム・コードをさらに備える、請求項１１に記載のコンピュータ・プログラム製品。
【請求項１５】
前記第１のＳＩＭは、時分割・同期符号分割多元接続（ＴＤ−ＳＣＤＭＡ）モジュールに関連し、および、前記第２のＳＩＭは、モバイル通信のためのグローバル・システム（ＧＳＭ）モジュールに関連する、請求項１１に記載のコンピュータ・プログラム製品。
【請求項１６】
メモリと、
前記メモリに結合されている少なくとも１つのプロセッサと、を備え、
前記少なくとも１つのプロセッサは、
第１の加入者識別モジュール（ＳＩＭ）に関連するアクティブ・コールにおいて通信するように、
接続された状態で第２のＳＩＭに関連するインアクティブ・コールを維持するように、ここにおいて、前記インアクティブ・コールは、ＵＥのスピーカーおよびマイクロフォンを使用していない、および、
前記インアクティブ・コールの受信された音声フレームを記憶するように、構成されている、ワイヤレス通信のための装置。
【請求項１７】
前記少なくとも１つのプロセッサは、前記インアクティブ・コールに関連するデバイスにアイドルフレームを送信するようにさらに構成されている、請求項１６に記載の装置。
【請求項１８】
前記少なくとも１つのプロセッサは、少なくとも前記アクティブ・コールを選択するために入力を受信するように構成されているメニューを表示するようにさらに構成されている、請求項１６に記載の装置。
【請求項１９】
前記少なくとも１つのプロセッサは、前記記憶された音声フレームをプレイバックするために、前記ＵＥのユーザから命令を受信するようにさらに構成されている、請求項１６に記載の装置。
【請求項２０】
前記第１のＳＩＭは、時分割・同期符号分割多元接続（ＴＤ−ＳＣＤＭＡ）モジュールに関連し、および、前記第２のＳＩＭは、モバイル通信のためのグローバル・システム（ＧＳＭ）モジュールに関連する、請求項１６に記載の装置。
【発明の詳細な説明】
【関連出願の相互参照】
【０００１】
[0001]  本出願は、２０１２年８月３日に提出された米国仮出願第６１／６７９，６１０号の優先権の利益を主張しており、この仮出願の開示全体は、参照により本明細書に明確に組み込まれる。
【技術分野】
【０００２】
[0002]  本開示のいくつかの態様は、一般にはワイヤレス通信システムに関し、より詳細には、ＴＤ−ＳＣＤＭＡネットワークにおいて動作するマルチ加入者識別モジュール（ＳＩＭ）デバイス（multi−subscriber identity module (SIM) device）において複数の音声コール（voice call）を受信することに関する。
【背景技術】
【０００３】
[0003]  ワイヤレス通信ネットワークは、電話通信、ビデオ、データ、メッセージング、ブロードキャストなどのさまざまな通信サービスを提供するために広く展開されている。このようなネットワークは、通常、多元接続ネットワークであり、利用可能なネットワーク・リソースを共有することによって複数のユーザのための通信をサポートする。このようなネットワークの一例は、ユニバーサル地上無線アクセス・ネットワーク（ＵＴＲＡＮ：Universal Terrestrial Radio Access Network）である。ＵＴＲＡＮは、ユニバーサル・モバイル・テレコミュニケーション・システム（ＵＭＴＳ：Universal Mobile Telecommunications System）、即ち第３世代パートナーシップ・プロジェクト（３ＧＰＰ)によってサポートされている第３世代（３Ｇ）携帯電話技術の一部として定義される無線アクセス・ネットワーク（ＲＡＮ：radio access network）である。ＵＭＴＳは、モバイル通信のためのグローバル・システム（ＧＳＭ（登録商標）：Global System for Mobile Communications）技術の後継であり、現在、広帯域符号分割多元接続（Ｗ−ＣＤＭＡ)、時分割・符号分割多元接続（ＴＤ−ＣＤＭＡ：Time Division-Code Division Multiple Access）、時分割・同期符号分割多元接続（ＴＤ−ＳＣＤＭＡ：Time Division−Synchronous Code Division Multiple Access）などのさまざまなエア・インターフェース規格をサポートする。例えば、中国は、コア・ネットワークとして既存のＧＳＭインフラストラクチャーと共に、ＵＴＲＡＮアーキテクチャにおける基本的なエア・インターフェースとしてＴＤ−ＳＣＤＭＡを推進している。ＵＭＴＳはまた、高速パケット・アクセス（ＨＳＰＡ：High Speed Packet Access）のような高度な３Ｇデータ通信プロトコルをサポートし、これは、関連するＵＭＴＳネットワークに、より高いデータ送信速度および容量を提供する。ＨＳＰＡは、２つの携帯電話通信プロトコル、即ち高速ダウンリンク・パケット・アクセス（ＨＳＤＰＡ：High Speed Dow
nlink Packet Access)および高速アップリンク・パケット・アクセス（ＨＳＵＰＡ：High Speed Uplink Packet Access）の集まりであり、既存の広帯域プロトコルの性能を拡張および向上させる。
【０００４】
[0004]  モバイル・ブロードバンド・アクセスへの需要が増加し続けるのに従って、モバイル・ブロードバンド・アクセスへの高まる需要を満たすためだけではなく、モバイル通信によるユーザの経験を進展および向上させるように、ＵＭＴＳ技術を進展させるために、研究開発が続いている。
【発明の概要】
【０００５】
[0005]  本開示の１つの態様では、ワイヤレス通信の１つの方法が示される。この方法は、第１のＳＩＭに関連するアクティブ・コール（active call）において通信することを含む。この方法はまた、接続された状態で第２のＳＩＭに関連するインアクティブ・コール（inactive call）を維持することを含む。この方法はさらに、インアクティブ・コールの受信された音声フレームを記憶することを含む。
【０００６】
[0006]  本開示の他の態様は、第１のＳＩＭに関連するアクティブ・コールにおいて通信するための手段を含む装置に向けられている。この装置はまた、接続された状態で第２のＳＩＭに関連するインアクティブ・コールを維持するための手段を含む。この装置はさらに、インアクティブ・コールの受信された音声フレームを記憶するための手段を含む。
【０００７】
[0007]  本開示の他の態様では、非一時的な（non-transitory）コンピュータ可読媒体を有するワイヤレス・ネットワークにおけるワイヤレス通信のためのコンピュータ・プログラム製品が、開示される。このコンピュータ可読媒体は、これに記録された非一時的なプログラム・コードを有しており、これは、（単数または複数の）プロセッサによって実行されるときに、（単数または複数の）プロセッサに、第１のＳＩＭに関連するアクティブ・コールにおいて通信することの動作を実施させる。このプログラム・コードはまた、（単数または複数の）プロセッサに、接続された状態で第２のＳＩＭに関連するインアクティブ・コールを維持させる。このプログラム・コードはまた、（単数または複数の）プロセッサに、インアクティブ・コールの受信された音声フレームを記憶させる。
【０００８】
[0008]  本開示の他の態様は、メモリおよびこのメモリに結合された少なくとも１つのプロセッサを有するワイヤレス通信に向けられている。前記（単数または複数の）プロセッサは、第１のＳＩＭに関連するアクティブ・コールにおいて通信するように構成されている。前記（単数または複数の）プロセッサはまた、接続された状態で第２のＳＩＭに関連するインアクティブ・コールを維持するように構成されている。前記（単数または複数の）プロセッサはさらに、インアクティブ・コールの受信された音声フレームを記憶するように構成されている。
【０００９】
［0009］  このことは、下記の詳細な説明がより理解されやすいように、本開示の特徴および技術的な利点の概要を、やや幅広く説明している。本開示のさらなる特徴および利点は、下記に説明される。本開示が本開示の同じ目的を実行するために他の構成を設計または変更するための基礎として容易に使用され得ることは、当業者に理解されるべきである。このような同等の構成が添付の請求項において説明されているような本開示の教示から逸脱していないこともまた、当業者に認識されるべきである。動作の方法および組織の両方に関する新規の特徴は、本開示に特有のものと考えられており、さらなる課題および利点と共に、添付の図面と関連して考慮されるときに下記の説明から容易に理解されるだろう。しかしながら、図面の各々は、実例および説明のためにのみ提供されているのであり、本開示の限定の定義として意図されるのではないことは、明確に理解されるべきである。
【図面の簡単な説明】
【００１０】
【図１】［0010］  図１は、テレコミュニケーション・システムの一例を概念的に示すブロック図である。
【図２】［0011］  図２は、テレコミュニケーション・システムにおけるフレーム構造の一例を概念的に示すブロック図である。
【図３】［0012］  図３は、テレコミュニケーション・システムにおいてＵＥと通信しているノードＢの一例を概念的に示すブロック図である。
【図４】［0013］  図４は、本開示の一態様に係るマルチＳＩＭ  ＵＥを示すブロック図である。
【図５】［0014］  図５は、本開示の一態様に係る複数の音声コールを受信するための方法を示すブロック図である。
【図６】［0015］  図６は、本開示の一態様に係る処理システムを用いる装置のためのハードウェア実装の一例を示す図である。
【発明を実施するための形態】
【００１１】
［0016］  添付の図面と関連して下記に説明される詳細な説明は、さまざまな構成の説明として意図されており、ここに説明されている概念が実施され得る構成のみを示すことは、意図されない。この詳細な説明は、さまざまな概念の完全な理解を提供するために、具体的な詳細を含む。しかしながら、これらの概念がこれらの具体的な詳細なしでも実施され得ることは、当業者には明らかであろう。いくつかの事例では、周知の構成およびコンポーネントが、このような概念を曖昧にすることを避けるために、ブロック図の形式で示される。
【００１２】
［0017］  図１を参照すると、テレコミュニケーション・システム１００の一例を示すブロック図が示されている。本開示全体にわたって示されるさまざまな概念は、幅広くさまざまなテレコミュニケーション・システム、ネットワーク・アーキテクチャ、および通信規格にわたって実施され得る。例によって、限定することなく、図１に示されている本開示のいくつかの態様が、ＴＤ−ＳＣＤＭＡ規格を用いるＵＭＴＳシステムを参照して示される。この例では、ＵＭＴＳシステムは、電話通信、ビデオ、データ、メッセージング、ブロードキャスト、および／または他のサービスを含むさまざまなワイヤレス・サービスを提供する（無線アクセス・ネットワーク）ＲＡＮ１０２（例えば、ＵＴＲＡＮ）を含む。ＲＡＮ１０２は、複数の無線ネットワーク・サブシステム（ＲＮＳ：Radio Network Subsystem）、例えばＲＮＳ１０７に分けられ得、これらの各々は、無線ネットワーク制御装置（ＲＮＣ：Radio Network Controller）、例えばＲＮＣ１０６によって制御される。明確さのために、ＲＮＣ１０６およびＲＮＳ１０７のみが示されているが、ＲＡＮ１０２は、ＲＮＣ１０６およびＲＮＳ１０７に加えて、任意の数のＲＮＣおよびＲＮＳを含み得る。ＲＮＣ１０６は、ＲＮＳ１０７内の無線リソースを、とりわけ、アサインする、再設定する、およびリリースすることに関与する装置である。ＲＮＣ１０６は、任意の適切な転送ネットワークを使用して、さまざまなタイプのインターフェース、例えば直接的な物理接続、仮想ネットワーク、または同等のものを通して、ＲＡＮ１０２において他のＲＮＣ（示されていない）に相互接続され得る。
【００１３】
［0018］  ＲＮＳ１０７によってカバーされる地理的領域は、各セルをサービスする無線トランシーバ装置によって、複数のセルに分けられ得る。無線トランシーバ装置は、共通して、ＵＭＴＳアプリケーションにおけるノードＢと呼ばれるが、当業者によっては、基地局（ＢＳ）、ベース・トランシーバ基地局（ＢＴＳ：base transceiver station）、無線基地局、無線トランシーバ、トランシーバ機能、ベーシック・サービス・セット（ＢＳＳ：basic service set）、拡張サービス・セット（ＥＳＳ：extended service set）、アクセス・ポイント（ＡＰ：access point)、またはその他いくつかの適切な専門用語でも、呼ばれ得る。明確さのために、２つのノードＢ１０８が示されているが、ＲＮＳ１０７は、任意の数のワイヤレス・ノードＢを含み得る。ノードＢ１０８は、任意の数のモバイル装置のためのコア・ネットワーク１０４に、ワイヤレス・アクセス・ポイントを提供する。モバイル装置のいくつかの例は、セルラー電話、スマート・フォン、セッション開始プロトコル（ＳＩＰ：session initiation protocol）電話、ラップトップ、ノートブック、ネットブック、スマートブック、携帯情報端末（ＰＤＡ：personal digital assistant）、衛星ラジオ、グローバル・ポジショニング・システム（ＧＰＳ）デバイス、マルチメディア・デバイス、ビデオ・デバイス、デジタル・オーディオ・プレーヤ（例えばＭＰ３プレーヤ）、カメラ、ゲーム機、またはその他任意の同様の機能を有するデバイスを含む。モバイル装置は、共通して、ＵＭＴＳアプリケーションにおけるユーザ装置（ＵＥ：user equipment)と呼ばれるが、当業者によっては、移動局（ＭＳ）、加入者ステーション（subscriber station）、モバイル・ユニット、加入者ユニット、ワイヤレス・ユニット、リモート・ユニット、モバイル・デバイス、ワイヤレス・デバイス、ワイヤレス通信デバイス、リモート・デバイス、モバイル加入者ステーション、アクセス端末（ＡＴ)、モバイル端末、ワイヤレス端末、リモート端末、ハンドセット、端末、ユーザ・エージェント、モバイル・クライアント、クライアント、またはその他いくつかの適切な専門用語でも呼ばれ得る。例としての目的で、ノードＢ１０８と通信している３つのＵＥ１１０が、示されている。順方向リンクとも呼ばれるダウンリンク（ＤＬ）は、ノードＢからＵＥへの通信リンクを指し、逆方向リンクとも呼ばれるアップリンク（ＵＬ)は、ＵＥからノードＢへの通信リンクを指す。
【００１４】
［0019］  コア・ネットワーク１０４は、示されているように、ＧＳＭコア・ネットワークを含む。しかしながら、当業者が認識しているように、本開示全体にわたって示されているさまざまな概念が、ＧＳＭネットワーク以外の複数のタイプのコア・ネットワークへのアクセスをＵＥに提供するために、ＲＡＮまたは他の適切なアクセス・ネットワークにおいて、実施され得る。
【００１５】
［0020］  この例において、コア・ネットワーク１０４は、モバイル・スイッチング・センター（ＭＳＣ）１１２およびゲートウェイＭＳＣ(ＧＭＳＣ)１１４によって、回線交換サービス（circuit−switched service）をサポートする。１つ以上のＲＮＣ、例えばＲＮＣ１０６は、ＭＳＣ１１２に接続され得る。ＭＳＣ１１２は、コール・セットアップ、コール・ルーティング、およびＵＥモビリティ機能を制御する装置である。ＭＳＣ１１２はまた、ＵＥがＭＳＣ１１２のカバレッジ・エリアにある持続時間に関わる加入者関連の情報を包含するビジター・ロケーション・レジスタ（ＶＬＲ：visitor location register)（示されていない）を含む。ＧＭＳＣ１１４は、回線交換ネットワーク（circuit-switched network）１１６にＵＥがアクセスするために、ＭＳＣ１１２にわたるゲートウェイを提供する。ＧＭＳＣ１１４は、加入者データ、例えば、特定のユーザが加入しているサービスの詳細を反映しているデータを包含する、ホーム・ロケーション・レジスタ（ＨＬＲ：home location register)（示されていない）を含む。前記ＨＬＲはまた、加入者固有の認証データを包含する認証センター（ＡｕＣ：authentication center）に関連する。コールが特定のＵＥに対して受信されると、ＧＭＳＣ１１４は、ＵＥの位置を決定するためにＨＬＲに問い合わせて、ロケーションをサービスしている特定のＭＳＣにコールを転送する。
【００１６】
［0021］  コア・ネットワーク１０４はまた、サービングＧＰＲＳサポート・ノード（ＳＧＳＮ)１１８およびゲートウェイＧＰＲＳサポート・ノード（ＧＧＳＮ)１２０によって、パケット・データ・サービスをサポートする。ＧＰＲＳは、汎用パケット無線サービス（General Packet Radio Service）の略であり、標準のＧＳＭ回線交換データ・サービスによって利用可能なものよりも速いスピードで、パケット・データ・サービスを提供するように設計されている。ＧＧＳＮ１２０は、パケット・ベースのネットワーク（packet-based network）１２２に、ＲＡＮ１０２のための接続を提供する。パケット・ベースのネットワーク１２２は、インターネット、プライベート・データ・ネットワーク、またはその他いくつかの適切なパケット・ベースのネットワークであり得る。ＧＧＳＮ１２０の主な機能は、パケット・ベースのネットワークの接続性を、ＵＥ１１０に提供することである。データ・パケットは、ＧＧＳＮ１２０およびＵＥ１１０間でＳＧＳＮ１１８を介して送信され、これは、ＭＳＣ１１２が回線交換ドメインにおいて実施するのと同じ機能をパケット・ベースのドメインにおいて主として実施する。
【００１７】
［0022］  ＵＭＴＳエア・インターフェースは、スペクトラム拡散の直接拡散符号分割多元接続（ＤＳ‐ＣＤＭＡ：Direct−Sequence Code Division Multiple Access）システムである。スペクトラム拡散のＤＳ‐ＣＤＭＡは、チップ（chip）と呼ばれる一連の疑似ランダム・ビットによる乗算によって、より広域の帯域幅にわたってユーザ・データを拡散する。ＴＤ−ＳＣＤＭＡ規格は、このような直接シーケンス拡散スペクトラム技術（direct sequence spread spectrum technology）に基づいており、さらに、多くのＦＤＤモードＵＭＴＳ／Ｗ−ＣＤＭＡシステムにおいて使用されているような周波数分割二重（ＦＤＤ）以外の、時分割二重（ＴＤＤ)をさらに必要とする。ＴＤＤは、ノードＢ１０８およびＵＥ１１０間のアップリンク（ＵＬ)およびダウンリンク（ＤＬ)の両方のために同じキャリア周波数を使用するが、アップリンクおよびダウンリンク送信を、キャリアにおいて異なるタイム・スロットに分割する。
【００１８】
［0023］  図２は、ＴＤ−ＳＣＤＭＡキャリアのためのフレーム構造２００を示す。ＴＤ−ＳＣＤＭＡキャリアは、示されているように、１０ｍｓの長さのフレーム２０２を有する。ＴＤ−ＳＣＤＭＡにおけるチップレート（chip rate）は、１．２８Ｍｃｐｓである。フレーム２０２は、２つの５ｍｓのサブフレーム２０４を有しており、サブフレーム２０４の各々は、７つのタイム・スロット、ＴＳ０乃至ＴＳ６を含む。第１のタイム・スロットＴＳ０は、ダウンリンク通信のために通常割り当てられ、一方で第２のタイム・スロットＴＳ１は、アップリンク通信のために通常割り当てられる。残りのタイム・スロットＴＳ２乃至ＴＳ６は、アップリンクまたはダウンリンクのいずれかのために使用され得、このことは、アップリンクまたはダウンリンク方向のいずれかへの、より高速のデータ送信時間の時間の間に、より高度な柔軟性を可能にする。ダウンリンク・パイロット・タイム・スロット（ＤｗＰＴＳ)２０６、ガード・ピリオド（ＧＰ：guard period)２０８、および（アップリンク・パイロット・チャネル（ＵｐＰＣＨ）としても知られている）アップリンク・パイロット・タイム・スロット（ＵｐＰＴＳ）２１０は、ＴＳ０およびＴＳ１間に位置されている。各タイム・スロットＴＳ０乃至ＴＳ６は、最大１６個のコード・チャネルにおいて多重化されたデータ送信を可能とし得る。コード・チャネルにおけるデータ送信は、（１４４チップの長さを有する）ミッドアンブル（midamble）２１４によって分けられ、かつ（１６チップの長さを有する）ガード・ピリオド（ＧＰ)２１６によって２つのデータ部分（各々３５２チップの長さを有する）を含む。ミッドアンブル２１４は、いくつかの特徴、例えばチャネル推定のために使用され得、一方で、ガード・ピリオド２１６は、インター・バースト干渉（inter−burst interference）を防ぐために使用され得る。また、データ部分において送信されるのは、同期シフト（ＳＳ：Synchronization Shift）ビット２１８を含むいくつかのレイヤー１制御情報（Layer 1 control information）である。ＳＳビット２１８のみが、データ部分の第２の部分に見られる。ミッドアンブルのすぐ後に続くＳＳビット２１８は、シフトを減じること、シフトを増加すること、またはアップロード送信タイミングにおいて何もしないこと、という３つの場合を示すことができる。ＳＳビット２１８の位置は、アップリンク通信の間は、一般的に使用されない。
【００１９】
［0024］  図３は、ＲＡＮ３００においてＵＥ３５０と通信しているノードＢ３１０のブロック図であり、ここにおいてＲＡＮ３００は、図１においてＲＡＮ１０２であり得、ノードＢ３１０は、図１においてノードＢ１０８であり得、ＵＥ３５０は、図１においてＵＥ１１０であり得る。ダウンリンク通信では、送信プロセッサ３２０は、データ・ソース３１２からデータを、および制御装置／プロセッサ３４０から制御信号を受信し得る。送信プロセッサ３２０は、データおよび制御信号、および参照信号（例えばパイロット信号）のためのさまざまな信号処理機能を提供する。例えば、送信プロセッサ３２０は、エラー検出のために周期的冗長検査（ＣＲＣ：cyclic redundancy check）コード、前方誤り訂正（ＦＥＣ：forward error correction）を容易にするためにコーディングおよびインターリーブ、さまざまな変調方式（例えば、２相偏移変調（ＢＰＳＫ：binary phase−shift keying）、直交位相偏移変調（ＱＰＳＫ：quadrature phase−shift keying）、Ｍ位相偏移変調（Ｍ−ＰＳＫ：M−phase−shift keying）、Ｍ直交振幅変調（Ｍ−ＱＡＭ：M−quadrature amplitude modulation））に基づいた信号配列へのマッピング、直交可変拡散率（ＯＶＳＦ：orthogonal variable spreading factor）による拡散、一連のシンボルを生成するためにスクランブリング・コードを使用した乗算を提供し得る。チャネル・プロセッサ３４４からのチャネル推定は、送信プロセッサ３２０のためのコーディング、変調、拡散、および／またはスクランブリング・スキームを決定するために、制御装置／プロセッサ３４０によって使用され得る。これらチャネル推定は、ＵＥ３５０からミッドアンブル２１４（図２）において包含されるフィードバックから、またはＵＥ３５０によって送信される参照信号から、得られ得る。送信プロセッサ３２０によって生成されるシンボルは、フレーム構造をつくるために送信フレーム・プロセッサ３３０に提供される。送信フレーム・プロセッサ３３０は、制御装置／プロセッサ３４０からミッドアンブル２１４（図２）によってシンボルを乗算することによって、このフレーム構造をつくり、結果として一連のフレームをもたらす。そしてフレームは、送信機３３２に提供され、これは、スマート・アンテナ３３４を介しワイヤレス媒体にわたるダウンリンク送信のためのキャリアに対して、フレームを増幅すること、フィルタすること、変調することを含む、さまざまな信号調整機能を提供する。スマート・アンテナ３３４は、ビームステアリング双方向適応アンテナ・アレー（beam steering bidirectional adaptive antenna arrays）または他の類似したビーム技術によって実施され得る。
【００２０】
［0025］  ＵＥ３５０において、受信機３５４は、アンテナ３５２を介してダウンリンク送信を受信し、キャリアへの変調された情報を回復するために送信を処理する。受信機３５４によって回復された情報は、受信フレーム・プロセッサ３６０に提供され、これは各フレームを解析し、ミッドアンブル２１４（図２）をチャネル・プロセッサ３９４に、データ、制御、および参照信号を受信プロセッサ３７０に、提供する。そして受信プロセッサ３７０は、ノードＢ３１０において送信プロセッサ３２０によって実施される処理の逆を実施する。より具体的には、受信プロセッサ３７０は、シンボルのスクランブルを解き、且つこれらを逆拡散し、そして変調スキームに基づいたノードＢ３１０によって送信される、最もありそうな信号の集まりのポイントを決定する。これらの軟判定（soft decision）は、チャネル・プロセッサ３９４によって算出されるチャネル推定に基づき得る。そして軟判定は、データ、制御、参照信号を回復するために、復号およびデインターリーブされる。そしてＣＲＣコードは、フレームがうまく復号されたかどうかを決定するために、チェックされる。そしてうまく復号されたフレームによって搬送されるデータは、データ・シンク３７２に提供され、これは、ＵＥ３５０および／またはさまざまなユーザ・インターフェース（例えばディスプレイ）において動作するアプリケーションを示す。うまく復号されたフレームによって搬送される制御信号は、制御装置／プロセッサ３９０に提供される。フレームが受信プロセッサ３７０によってうまく復号されなかったとき、制御装置／プロセッサ３９０はまた、フレームに対する再送信要求をサポートするために、確認応答（ＡＣＫ：acknowledgement）、および／または否定応答（ＮＡＣＫ:negative acknowledgement）プロトコルを使用し得る。
【００２１】
［0026］  アップリンクでは、データ・ソース３７８からのデータおよび制御装置／プロセッサ３９０からの制御信号は、送信プロセッサ３８０に提供される。データ・ソース３７８は、ＵＥ３５０およびさまざまなユーザ・インターフェース（例えば、キーボード）を動作するアプリケーションを示し得る。ノードＢ３１０によるダウンリンク送信に関連して説明される機能性と同様に、送信プロセッサ３８０は、一連のシンボルを生成するための、ＣＲＣコード、ＦＥＣを容易にするためのコーディングおよびインターリービング、信号コンステレーションへのマッピング、ＯＶＳＦによる拡散、および、スクランブリングを含む、さまざまな信号処理機能を提供する。ノードＢ３１０によって送信されるミッドアンブルにおいて包含されるフィードバックから、または、ノードＢ３１０によって送信される参照信号から、チャネル／プロセッサ３９４によって得られるチャネル推定は、適切なコーディング、変調、拡散、および／またはスクランブリングの方式を選択するために使用され得る。送信プロセッサ３８０によって生成されたシンボルは、フレーム構造を作るために送信フレーム・プロセッサ３８２に提供される。送信フレーム・プロセッサ３８２は、制御装置／プロセッサ３９０からミッドアンブル２１４（図２）によってシンボルを多重化することによって、このフレーム構造をつくり、結果として一連のフレームをもたらす。そしてフレームは、送信機３５６に提供され、これは、アンテナ３５２を介するワイヤレス媒体にわたるアップリンク送信のためにキャリアに対して、フレームの増幅、フィルタリング、および変調を含む、さまざまな信号を調整する機能を提供する。
【００２２】
［0027］  アップリンク送信は、ＵＥ３５０において受信機の機能に関連して説明されたやり方と同様のやり方で、ノードＢ３１０において処理される。受信機３３５は、アンテナ３３４を介してアップリンク送信を受信し、キャリアに対して変調された情報を回復するために送信を処理する。受信機３５５によって回復された情報は、受信フレーム・プロセッサ３３６に提供され、これは各フレームを解析し、ミッドアンブル２１４（図２）をチャネル・プロセッサ３４４に、データ、制御、および参照信号を受信プロセッサ３３８に、提供する。受信プロセッサ３３８は、ＵＥ３５０において送信プロセッサ３８０によって実施される処理の逆を実施する。そしてうまく復号されたフレームによって搬送されたデータおよび制御信号は、データ・シンク３３９および制御装置／プロセッサに、それぞれ提供され得る。フレームのいくつかが受信プロセッサによってうまく復号されなかった場合、制御装置／プロセッサ３４０は、さらに、フレームに対する再送信要求をサポートするために、確認応答（ＡＣＫ）、および／または否定応答（ＮＡＣＫ）プロトコルを使用し得る。
【００２３】
［0028］  制御装置／プロセッサ３４０および３９０は、ノードＢ３１０およびＵＥ３５０において動作を指示するために使用され得る。例えば、制御装置／プロセッサ３４０および３９０は、タイミング、周辺インターフェース、電圧調節、パワー・マネジメント、および他の制御機能を含むさまざまな機能を提供し得る。メモリ３４２および３９２のコンピュータ可読媒体は、ノードＢ３１０およびＵＥ３５０のためのデータおよびソフトウェアをそれぞれ記憶し得る。例えば、ＵＥ３５０のメモリ３９２は、制御装置／プロセッサ３９０によって実行されるときに複数の受信されたコールを組み合わせるようにＵＥ３５０を構成するコール結合モジュール３９１（call combining module）を記憶し得る。ノードＢ３１０におけるスケジューラ／プロセッサ３４６は、ＵＥにリソースを割り当て、およびＵＥに対するダウンリンクおよび／またはアップリンク送信をスケジュールするために、使用され得る。
【００２４】
＜マルチＳＩＭデバイスにおける複数の音声コールの受信＞
［0029］  いくつかの場合において、ユーザ装置（ＵＥ：user equipment)は、１つ以上の加入者識別モジュール（ＳＩＭ：subscriber identity module)／ユニバーサル加入者識別モジュール（ＵＳＩＭ：universal subscriber identity module）を含み得る。１つ以上のＳＩＭを有するＵＥは、マルチＳＩＭ／マルチ・トークＵＥ(multi−talk UE)と呼ばれ得る。本開示では、ＳＩＭは、ＳＩＭまたはＵＳＩＭを指し得る。各ＳＩＭは、固有の国際移動電話加入者識別番号（ＩＭＳＩ：International Mobile Subscriber Identity）およびサービス加入情報を含む。さらに、各ＳＩＭは、固有の電話番号と関連し得る。この結果、ＵＥは、複数の通話を送信および受信するために、各ＳＩＭを使用し得る。いくつかの場合では、ＵＥは、複数のコールを開始／受信するために、複数のＳＩＭを使用し得る。即ち、ＵＥは、各ＳＩＭに関連する電話番号を介して並行して（simultaneously）通信し得る。並行した通信は、デュアルＳＩＭ／デュアル・トーク（dual-SIM/dual-talk）と呼ばれ得る。本開示では、ＵＥは、マルチＳＩＭ／マルチ・トークＵＥを指す。
【００２５】
［0030］  いくつかの場合では、ＵＥは、各ＳＩＭのための別個のハードウェア・モジュールを指定し得る。ハードウェア・モジュールは、モデム、および／または、特定のネットワークにおける通信のために構成された他の通信ハードウェアであり得る。例えば、２つのＳＩＭを有するＵＥでは、第１のモジュールは、第１のＳＩＭに関連するＴＤ−ＳＣＤＭＡモジュールであり得、第２のモジュールは、第２のＳＩＭに関連するＧＳＭモジュールであり得る。各ハードウェア・モジュールは、無線周波数（ＲＦ）モジュール、ベースバンド・モジュール、および／または、プロセッサを含み得る。モジュールは、２つのモジュールに分けられる単一の構造または別個のハードウェア構造であり得ることが、留意されるべきである。
【００２６】
［0031］  図４は、本開示の一態様に係るＵＥ４００のハードウェア構造の一例を示す。図４に示されているように、ＵＥは、第１のモジュール４０２および第２のモジュール４０４を含み得る。各モジュール４０２および４０４は、プロセッサ、ベースバンド・モジュール、無線周波数（ＲＦ）モジュールを含み得る。もちろん、各モジュールは、前述のコンポーネントに限定されず、本開示において説明されていない他のコンポーネントも含み得る。さらに、各モジュール４０２および４０４は、異なるＳＩＭに関連し得る。例えば、第１のモジュール４０２は、第１のＳＩＭに関連するＴＤ−ＳＣＤＭＡモジュールであり得る。さらに、第２のモジュール４０４は、第２のＳＩＭに関連するＧＳＭモジュールであり得る。モジュール４０２および４０４は、ＵＥのユーザ・インターフェースと通信し得、ＵＥの１つ以上のアンテナとも通信し得る。
【００２７】
［0032］  ＵＥが複数のコールを受信し得るので、ＵＥが複数の受信されたコールを管理する必要がある。本開示のいくつかの態様は、複数のコールを並行して（simultaneously）受信および処理することができるＵＥを、提供する。
【００２８】
［0033］  本開示の一態様に従えば、ＵＥが、２つ以上の音声コールを開始するとき、ユーザ・インターフェース（ＵＩ：user interface)が、アクティブ・コールまたはインアクティブ・コールとして、複数の音声コールのうちの１つを選択するために、ユーザに対して表示され得る。音声コールはＵＥにおいて受信されるコール、および／またはＵＥから開始されるコールであり得る。アクティブ・コールとして選択されない（単数または複数の）音声コールは、インアクティブ・コールと呼ばれ得る。１つの構成では、２つ以上の音声通話がアクティブであるときはいつでも、ユーザはアクティブ・コールをインアクティブ・コールに、インアクティブ・コールをアクティブ・コールに、切り替えることができる。
【００２９】
［0034］  本開示の他の態様に従えば、ユーザは、アクティブ・コールのみと積極的に通信し得る。この構成では、ＵＥは、音声フレームをアクティブ・コールに送信するのみであり、音声フレームをインアクティブ・コールには送信しない。さらに、ＵＥは音声フレームをインアクティブ・コールに送信しないが、ＵＥは、音声フレームを、アクティブ・コールおよびインアクティブ・コールの両方から、受信し得る。本構成では、ＵＥは、アイドルフレーム（idle frame）（例えば、適応マルチ・レート（ＡＭＲ）コーデック・サイレンス・インジケータ・フレーム（adaptive multi-rate (AMR) codec silence indicator frames））を、インアクティブ・コールに関連する接続されたデバイスに送信することによって、インアクティブ・コールとの接続を維持する。
【００３０】
［0035］  １つの構成では、インアクティブ・コールの受信された音声フレームは、オーディオ出力デバイス（例えば、スピーカー）へ出力されない。むしろ、ＵＥは、後のプレイバックのためにインアクティブ・コールの受信された音声フレームを、記録（record）および記憶（store）することができる。受信された音声フレームは、ＵＥの内部メモリ、および／または、ＵＥに結合された他の記憶ユニットにおいて記憶され得る。さらに、アクティブ・コールの受信された音声フレームは、ＵＥのオーディオ出力デバイスへ出力される。
【００３１】
［0036］  本開示のいくつかの態様は、２つのＳＩＭを有するＵＥに関して示されていることに留意されるべきである。本開示のいくつかの態様は、また、２つ以上のＳＩＭを有するＵＥによって実施され得る。さらに、本開示のいくつかの態様はまた、２つ以上のデバイス間で開始／受信されるコールのために実施され、この結果、１つのコールはアクティブ・コールであり得、他のコールはインアクティブ・コールであり得る。
【００３２】
［0037］  図５は、本開示の１つの態様に従ったワイヤレス通信の方法５００を示す。ブロック５０２では、ＵＥは、第１のＳＩＭに関連したアクティブ・コールにおいて通信する。さらに、ブロック５０４では、ＵＥは、また、接続された状態で第２のＳＩＭに関連するインアクティブ・コールを維持する。インアクティブ・コールは、アクティブ・コールと並行して維持される。最後に、ブロック５０６では、ＵＥは、インアクティブ・コールの受信された音声フレームを記憶する。
【００３３】
［0038］  図６は、処理システム６１４を用いる装置６００のためのハードウェア実装の一例を示す図である。処理システム６１４は、バス６２４によって概して示されているバス・アーキテクチャによって実施され得る。バス６２４は、処理システム６１４の特定のアプリケーションおよび全体の設計制限に依存して、任意の数の相互接続バスおよびブリッジを含み得る。バス６２４は、プロセッサ６２２、モジュール６０２、６０４、およびコンピュータ可読媒体６２６によって示されている、１つ以上のプロセッサ、および／または、ハードウェア・モジュールを含むさまざまな回路を、一緒にリンクさせる。バス６２４は、また、タイミング・ソース、周辺機器、電圧レギュレータ、およびパワー・マネジメント回路などのさまざまな他の回路をリンクさせ得、これらは本分野でよく知られているものであり、したがって、これ以上は説明されない。
【００３４】
［0039］  装置は、トランシーバ６３０に結合されている処理システム６１４を含む。トランシーバ６３０は、１つ以上のアンテナ６２０に結合されている。トランシーバ６３０は、伝送媒体を介してさまざまな他の装置との通信を可能にする。処理システム６１４は、コンピュータ可読媒体６２６に結合されたプロセッサ６２２を含む。プロセッサ６２２は、コンピュータ可読媒体６２６に記憶されたソフトウェアの実行を含む一般の処理に関与する。ソフトウェアは、プロセッサ６２２によって実行されるとき、処理システム６１４に、任意の特定の装置に関して説明されるさまざまな機能を実施させる。コンピュータ可読媒体６２６はまた、ソフトウェアを実行するときにプロセッサ６２２によって操作されるデータを記憶するために使用され得る。
【００３５】
［0040］  処理システム６１４は、第１のＳＩＭに関連するアクティブ・コールにおける通信のために、通信モジュール６０２を含む。通信モジュール６０２は、また、接続された状態で第２のＳＩＭに関連するインアクティブ・コールを維持し得る。この処理システム６１４は、インアクティブ・コールの受信された音声フレームを記憶するための記憶モジュール（storing module）６０４を含む。モジュールは、コンピュータ可読媒体６２６内に駐在／記憶されており、プロセッサ６２２において動作するソフトウェア・モジュール、プロセッサ６２２に結合されている１つ以上のハードウェア・モジュール、またはこれらのある組合せであり得る。処理システム６１４は、ＵＥ３５０のコンポーネントであり得、メモリ３９２、および／または制御装置／プロセッサ３９０を含み得る。
【００３６】
［0041］  １つの構成では、ＵＥなどの装置は、通信するための手段、インアクティブ・コールを維持するための手段、および記憶するための手段を含み、ワイヤレス通信のために構成されている。１つの態様では、上記の手段は、アンテナ３５２、受信機３５４、チャネル・プロセッサ３９４、受信フレーム・プロセッサ３６０、受信プロセッサ３７０、送信機３５６、送信フレーム・プロセッサ３８２、送信プロセッサ３８０、制御装置／プロセッサ３９０、メモリ３９２、コール結合モジュール（call combining module）３９１、通信モジュール６０２、記憶モジュール６０４、および／または、前述の手段によって列挙されている機能を実施するように構成されている処理システム６１４であり得る。他の態様では、前述の手段は、前述の手段によって列挙されている機能を実施するように構成されている任意の装置またはモジュールであり得る。
【００３７】
［0042］  テレコミュニケーション・システムのいくつかの態様は、ＴＤ−ＳＣＤＭＡシステムに関連して示されている。当業者は容易に理解するであろうが、本開示全体にわたって説明されるさまざまな態様は、他のテレコミュニケーション・システム、ネットワーク・アーキテクチャ、および通信規格にまで広げられ得る。例のために、さまざまな態様が、Ｗ−ＣＤＭＡ、高速ダウンリンク・パケット・アクセス（ＨＳＤＰＡ：High Speed Downlink Packet Access）、高速アップリンク・パケット・アクセス（ＨＳＵＰＡ：High Speed Uplink Packet Access）、高速パケット・アクセス・プラス（ＨＳＰＡ＋：High Speed Packet Access Plus）およびＴＤ−ＣＤＭＡなどの、他のＵＭＴＳにまで広げられ得る。さまざまな態様は、また、（ＦＤＤ、ＴＤＤ、または両方のモードにおける）ロング・ターム・エボリューション（ＬＴＥ）、（ＦＤＤ、ＴＤＤ、または両方のモードにおける）ＬＴＥアドバンスド（ＬＴＥ−Ａ）、ＣＤＭＡ２０００、エボリューション・データ・オプティマイズド（ＥＶ−ＤＯ：Evolution−Data Optimized）、ウルトラ・モバイル・ブロードバンド（ＵＭＢ：Ultra Mobile Broadband)、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、ウルトラ・ワイドバンド（ＵＷＢ：Ultra−Wideband）、ブルートゥース（登録商標）、および／または、他の適当なシステムを用いるシステムにまで広げられ得る。実際の通信規格（actual telecommunication standard）、ネットワーク・アーキテクチャ、および／または、用いられている通信規格（communication standard）は、システムに課せられた全体の設計制限および特定のアプリケーションに依存するであろう。
【００３８】
［0043］  いくつかのプロセッサが、さまざまな装置および方法に関連して説明されている。これらプロセッサは、電子ハードウェア、コンピュータ・ソフトウェア、またはそれらの任意の組合せを使用して実施され得る。このようなプロセッサがハードウェアまたはソフトウェアとして実施されるかどうかは、システムに課せられた全体の設計制限および特定のアプリケーションに依存するだろう。例のために、プロセッサ、プロセッサの任意の一部、または本開示に示されているプロセッサの任意の組合せは、マイクロプロセッサ、マイクロコントローラ、デジタル信号プロセッサ（ＤＳＰ)、フィールド・プログラマブル・ゲート・アレー（ＦＰＧＡ)、プログラマブル・ロジック・デバイス（ＰＬＤ)、ステート・マシン、ゲーテッド・ロジック（gated logic）、離散ハードウェア回路（discrete hardware circuits）、および本開示全体にわたって説明されるさまざまな機能を実施するように構成されている他の適切な処理コンポーネントによって、実装され得る。プロセッサ、プロセッサの任意の一部、または本開示に示されている複数のプロセッサの任意の組合せの機能性は、マイクロプロセッサ、マイクロコントローラ、ＤＳＰ、または他の適切なプラットフォームによって実行されるソフトウェアによって、実施され得る。
【００３９】
［0044］  ソフトウェアは、ソフトウェア、ファームウェア、ミドルウェア、マイクロコード、ハードウェア記述言語、またはその他のいずれの呼び名で呼ばれようと、命令群、命令群のセット、コード、コード・セグメント、プログラム・コード、プログラム、サブプログラム、ソフトウェア・モジュール、アプリケーション、ソフトウェア・アプリケーション、ソフトウェア・パッケージ、ルーティン、サブルーティン、オブジェクト、実行ファイル（executables）、実行ファイルのスレッド、手順、機能などを意味するために、広く解釈されるべきである。ソフトウェアは、コンピュータ可読媒体に属し得る。コンピュータ可読媒体は、例のために、磁気記憶デバイス（例えば、ハード・ディスク、フロッピー（登録商標）・ディスク、磁気ストライプ）、光ディスク（例えば、コンパクト・ディスク（ＣＤ)、デジタル多用途ディスク（ＤＶＤ)）、スマート・カード、フラッシュ・メモリ・デバイス（例えば、カード、スティック、キー・ドライブ）、ランダム・アクセス・メモリ（ＲＡＭ)、読出し専用メモリ（ＲＯＭ：read only memory）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスター、またはリムーバブル・ディスクを含み得る。メモリは、本開示全体にわたって示されているさまざまな態様におけるプロセッサから離れているように示されているが、メモリは、プロセッサ（例えば、キャッシュメモリ（cache）またはレジスタ）の内部にあり得る。
【００４０】
［0045］  コンピュータ可読媒体は、コンピュータ・プログラム製品において具現化され得る。例のために、コンピュータ・プログラム製品は、包装物（packaging materials）内のコンピュータ可読媒体を含み得る。当業者は、システム全体に課せられた全体の設計制限および特定のアプリケーションに依存して本開示全体にわたって示されている前述の機能性を実行する最適な方法を認識するだろう。
【００４１】
［0046］  開示されている方法におけるステップの優先度または特定の順番は、例示的なプロセスの１つの説明であることが、理解されるべきである。設計の好みに基づいて、方法のステップの優先度または特定の順番が再調整され得ることが、理解される。添付の方法の請求項は、見本としての順番でさまざまなステップの複数の要素を示しており、特別に記載がない限り、示されている優先度または特定の順番に限定されることは、意図されない。
【００４２】
［0047］  前述の説明は、当業者の誰でも、ここに説明されるさまざまな態様を実施することができるように、提供されている。これら態様へのさまざまな変更は、当業者には容易に理解されるものであり、ここに定義される一般的な原則は、他の態様にも適用され得る。かくして、本請求項は、本書に示されている態様に限定されることは意図されず、しかし、本請求項の言葉に一致する全範囲と合致されるべきであり、ここにおいて、単数形で要素を示していることは、明確にそうであると述べられていない限り、「１つまたは唯一のもの（one and only one）」を意味することは意図されておらず、むしろ「１つ以上のもの（one or more）」を意味している。明確にそのようではないと述べられていない限り、「いくつか（some）」という用語は１つ以上を指す。「少なくとも１つの（at least one of）」項目のリストに関するフレーズは、単一のメンバーを含むこれら項目の任意の組合せを指す。一例として、「少なくとも１つのａ、ｂ、またはｃ」は、ａと、ｂと、ｃと、ａおよびｂと、ａおよびｃと、ｂおよびｃと、ａ、ｂ、およびｃとを含むことが意図される。当業者には周知である、またはのちに周知となるであろう、本開示全体にわたって説明されているさまざまな態様の要素と同等の全ての機能および構造は、参照によって本書に明確に組み込まれ、本請求項に含まれるように意図されている。さらに、本書に開示されていることはいずれも、このような開示が本請求項に明確に述べられているか否かに関わらず、公に献呈されることを意図されない。請求項の要素のいずれも、米国特許法第１１２条第６段落に基づいて解釈されるべきではなく、要素が「〜のための手段（means for）」というフレーズを用いて明確に述べられていない限り、または、方法請求項の場合、要素は、「〜のためのステップ（step for）」というフレーズを用いて述べられる。
【図１】
2015529063.tif 000003
【図２】
2015529063.tif 000004
【図３】
2015529063.tif 000005
【図４】
2015529063.tif 000006
【図５】
2015529063.tif 000007
【図６】
2015529063.tif 000008
【国際調査報告】
2015529063.tif 000009
2015529063.tif 000010
2015529063.tif 000011